(57)【要約】【課題】ショートカット用アイコンに対応する機能への第三者のアクセスを困難にすることを目的とする。【解決手段】携帯電話機１０は、選択および確定されたときに所定の機能を起動するためのショートカット用アイコンに関するアイコン情報を記憶するデータベース１２と、データベース１２から読み出したアイコン情報に対応するショートカット用アイコンをショートカット提供画面上に不可視状態で配置する表示制御部１３と、を備える。【選択図】図１
2011191917.tif 000002
【特許請求の範囲】
【請求項１】
選択および確定されたときに所定の機能を起動するためのショートカット用アイコンに関するアイコン情報を記憶する記憶手段と、
前記記憶手段から読み出したアイコン情報に対応する前記ショートカット用アイコンを所定の画面上に不可視状態で配置する表示制御手段と、
を備える表示装置。
【請求項２】
前記表示制御手段が、配置した前記ショートカット用アイコンの位置を示す第１補助画像を前記所定の画面に表示する、
請求項１に記載の表示装置。
【請求項３】
前記表示制御手段が、配置した前記ショートカット用アイコンが選択されていることを示す第２補助画像を、前記所定の画面のうち、該アイコンの配置場所とは異なる位置に表示する、
請求項１又は２に記載の表示装置。
【請求項４】
前記表示制御手段が、配置した前記ショートカット用アイコンを選択するためのカーソルを前記所定の画面上に不可視状態で配置する、
請求項１〜３のいずれか一項に記載の表示装置。
【請求項５】
表示装置が、選択および確定されたときに所定の機能を起動するためのショートカット用アイコンに関するアイコン情報を記憶手段から読み出し、該アイコン情報に対応するショートカット用アイコンを所定の画面上に不可視状態で配置する表示制御ステップ、
を含む画面表示方法。
【発明の詳細な説明】
【技術分野】
【０００１】
本発明は、ショートカット用アイコンに関する制御を行う表示装置及びその画面表示方法に関する。
【背景技術】
【０００２】
従来から、ショートカット用アイコンを表示する表示装置が知られている。例えば下記特許文献１には、ショートカットメニュー画面に登録されているアイコンを待受画面に複写して表示させる移動体電話機が記載されている。このようなアイコンを設けることで、ユーザは所望のアプリケーション・プログラムなどを簡単に起動することができる。
【先行技術文献】
【特許文献】
【０００３】
【特許文献１】特開２００３−１９８７０５号公報
【発明の概要】
【発明が解決しようとする課題】
【０００４】
しかしながら、上記特許文献１に記載されているようにアイコンを画面に配置すると、当該アイコンに対応する機能へのアクセス経路を第三者も視覚的に確認することができてしまい、セキュリティの面で不安が生ずる可能性がある。例えば、ユーザが望まない第三者がアイコンを介して特定の機能にアクセスしてしまう可能性がある。
【０００５】
そこで本発明は、ショートカット用アイコンに対応する機能への第三者のアクセスを困難にすることが可能な表示装置及び画面表示方法を提供することを目的とする。
【課題を解決するための手段】
【０００６】
本発明の表示装置は、選択および確定されたときに所定の機能を起動するためのショートカット用アイコンに関するアイコン情報を記憶する記憶手段と、記憶手段から読み出したアイコン情報に対応するショートカット用アイコンを所定の画面上に不可視状態で配置する表示制御手段と、を備える。
【０００７】
本発明の画面表示方法は、表示装置が、選択および確定されたときに所定の機能を起動するためのショートカット用アイコンに関するアイコン情報を記憶手段から読み出し、該アイコン情報に対応するショートカット用アイコンを所定の画面上に不可視状態で配置する表示制御ステップ、を含む。
【０００８】
このような発明によれば、ショートカット用アイコンが画面上に不可視状態で配置されるので、そのアイコンは画面に表示されないことになる。これにより、第三者にとってはアイコンの位置や機能などを知ることが難しくなり、その結果、当該アイコンに対応する機能への第三者のアクセスを困難にすることができる。
【０００９】
本発明の表示装置では、表示制御手段が、配置したショートカット用アイコンの位置を示す第１補助画像を所定の画面に表示してもよい。
【００１０】
この場合には、配置したショートカット用アイコンの位置を示す画像が表示されるので、表示装置のユーザはアイコンが置かれている位置を把握することができる。
【００１１】
本発明の表示装置では、表示制御手段が、配置したショートカット用アイコンが選択されていることを示す第２補助画像を、所定の画面のうち、該アイコンの配置場所とは異なる位置に表示してもよい。
【００１２】
この場合には、アイコンが選択されるとそのことを示す画像が表示されるので、表示装置のユーザは自身が現在何らかのアイコンを選択していることを知ることができる。
【００１３】
本発明の表示装置では、表示制御手段が、配置したショートカット用アイコンを選択するためのカーソルを所定の画面上に不可視状態で配置してもよい。
【００１４】
この場合には、ショートカット用アイコンを選択するためのカーソルも不可視状態になるので、第三者は自身のアイコン選択操作を把握することも困難になる。その結果、当該アイコンに対応する機能への第三者のアクセスを困難にすることができる。
【発明の効果】
【００１５】
このような表示装置及び画面表示方法によれば、ショートカット用アイコンが画面上に不可視状態で配置されるので、当該アイコンに対応する機能への第三者のアクセスを困難にすることができる。
【図面の簡単な説明】
【００１６】
【図１】実施形態に係る携帯電話機の機能構成を示すブロック図である。
【図２】図１に示す携帯電話機のハードウェア構成を示す図である。
【図３】ショートカット設定画面の例を示す図である。
【図４】第１補助画像の例を示す図である。
【図５】第２補助画像の例を示す図である。
【図６】アイコン情報の例を示す図である。
【図７】ショートカット提供画面のいくつかの態様を示す図である。
【図８】カーソルのいくつかの表示態様を示す図である。
【図９】図１に示す携帯電話機の動作（アイコン配置処理）を示すフローチャートである。
【図１０】ショートカット提供画面のいくつかの態様を示す図である。
【発明を実施するための形態】
【００１７】
以下、添付図面を参照しながら本発明の実施形態を詳細に説明する。本実施形態では、本発明に係る表示装置を携帯電話機に適用する。なお、図面の説明において同一又は同等の要素には同一の符号を付し、重複する説明を省略する。
【００１８】
まず、図１〜８を用いて、実施形態に係る携帯電話機１０の機能及び構成を説明する。携帯電話機１０は、通話機能やメール機能、ウェブブラウザ機能などを備える通信端末である。図１に示すように、携帯電話機１０は機能的構成要素としてショートカット設定部１１、データベース１２、及び表示制御部１３を備えている。
【００１９】
この携帯電話機１０は、図２に示すように、オペレーティングシステムやアプリケーション・プログラムなどを実行するＣＰＵ１０１と、ＲＯＭ及びＲＡＭで構成される主記憶部１０２と、メモリなどで構成される補助記憶部１０３と、データ通信を行う通信制御部１０４と、液晶モニタなどで構成される表示部１０５と、入力キーなどで構成される操作部１０６とで構成される。図１に示す各機能は、ＣＰＵ１０１及び主記憶部１０２の上に所定のプログラムを読み込ませ、ＣＰＵ１０１の制御の下で通信制御部１０４、表示部１０５及び操作部１０６を動作させるとともに、主記憶部１０２や補助記憶部１０３に対してデータの読み出し又は書き込みを行うことで実現される。データベースや処理に必要なデータは主記憶部１０２または補助記憶部１０３内に格納されている。
【００２０】
図１に戻って、ショートカット設定部１１は、所定のショートカット提供画面に配置されるショートカット用アイコンの設定に関する入力を受け付ける手段である。ショートカット提供画面としては、待受画面や、待受画面から移動可能なショートカット一覧画面などが挙げられるが、これらに限定されるものではない。ショートカット用アイコンとは、選択および確定されたときに所定の機能を起動するための入力インタフェースである。ショートカット用アイコンに対応付けられる機能としては、例えばウェブブラウザを起動する機能や、電卓アプリケーション・プログラムを起動する機能、受信した電子メールの一覧を表示する機能、画像ファイルを表示する機能などが挙げられるが、ショートカット用アイコンにより実行される機能の種類はこれらに限定されない。以下では、ショートカット用アイコンのことを単に「アイコン」ともいう。
【００２１】
ショートカット設定部１１はアイコンを設定するための画面をユーザに提供し、ユーザの入力に応じてアイコン情報を生成する。例えば、ショートカット設定部１１は図３に示すような設定画面を表示部１０５に表示する。
【００２２】
ユーザが設定画面を開く操作を行うと、ショートカット設定部１１はショートカットの種類を選択させるための画面Ｓａを表示する。画面Ｓａにおける選択肢「通常」は、ショートカット提供画面に従来のようにアイコンを表示させる態様を示し、選択肢「見えないショートカット」は、アイコンをショートカット提供画面に不可視状態で配置させる態様を示している。以下では、従来と同様の「通常」設定についての説明を省略し、「見えないショートカット」の設定について説明する。
【００２３】
画面Ｓａにおいて「見えないショートカット」が選択されると、ショートカット設定部１１はショートカットの配置を選択させるための画面Ｓｂを表示する。画面Ｓｂにおける選択肢「通常」は予め携帯電話機１０の内部に設定されているアイコンの配置態様を示し、例えば画面下部に横方向にアイコンを４個並べる態様を示す。「通常」配置は、携帯電話機１０の機種独自の配置態様であるともいえる。選択肢「２×２」は、画面を２×２の４区画に分けて各区画に一つずつアイコンを配置する態様を示す。選択肢「３×３」は、画面を３×３の９区画に分けて各区画に一つずつアイコンを配置する態様を示す。
【００２４】
画面Ｓｂにおいていずれかの選択肢が選ばれると、ショートカット設定部１１はショートカット用アイコンを置く場所を決めさせるための画面Ｓｃを表示する。図３では「２×２」の配置態様が選択された場合の画面を示しており、画面Ｓｃには、エリア１〜４のそれぞれにどのようなショートカット用アイコンを配置するかを設定するための入力インタフェースが表示されている。図３の例は、画面の左上に位置するエリア１にはスケジュール機能を起動するアイコンが置かれ、画面の右上に位置するエリア２には受信メール表示機能を起動するアイコンが置かれる一方で、画面左下のエリア３及び画面右下のエリア４には未だアイコンが置かれていないことを示している。
【００２５】
画面Ｓｃにおいてアイコンと配置場所との関連付けが行われると、ショートカット設定部１１は背景連動を行うか否かをユーザに選択させるための画面Ｓｄを表示する。背景連動とは、アイコンを選択する操作が行われる際に、ショートカットの配置位置を把握できるような画像（第１補助画像）をショートカット提供画面に表示させる機能である。
【００２６】
図４の例は、画面下部に４個の不可視のアイコンＣ１〜Ｃ４が配置されているショートカット提供画面Ｓｗの表示中にアイコンを選択する操作が行われると、当該画面の画像が背景連動機能により第１補助画像Ｓｐに切り替わる態様を示している。不可視のアイコンＣ１〜Ｃ４の位置は第１補助画像Ｓｐ中の星（絵柄）により把握できるようになっている。なお、第１補助画像Ｓｐ中の星やその他の画像構成要素（例えば月）は、アイコン画像そのものでも、アイコンに対応する機能を想起させる画像でもない。第１補助画像Ｓｐ中の星（絵柄）は、あくまでも不可視のアイコンの配置場所の目処を示しているに過ぎない。
【００２７】
図４の例に従うと、背景連動が「ＯＮ」に設定された場合には、実際のアイコン選択時に当初のショートカット提供画面Ｓｗの画像が第１補助画像Ｓｐに切り替わる。一方、背景連動が「ＯＦＦ」に設定された場合には、当初のショートカット提供画面Ｓｗが表示され続ける。
【００２８】
図３に戻って、画面Ｓｄにおいて背景連動の採否が選択されると、ショートカット設定部１１は、何らかのアイコンが選択されていることを示す画像（第２補助画像）をアイコンの配置場所とは異なる位置に表示させるか否かをユーザに選択させるための画面Ｓｅを表示する。以下ではこのような機能を選択表示機能という。
【００２９】
図５の例は、図４の例と同様にアイコンＣ１〜Ｃ４が配置されているショートカット提供画面Ｓｗの表示中にアイコンを選択する操作が行われると、選択表示機能により第２補助画像Ｓｑが画面右上に表示される態様を示している。なお、第２補助画像Ｓｑをどのようなものにするかは任意である。例えば、アイコン画像そのものや、アイコンに対応する機能を想起させる画像を第２補助画像として用いてもよい。また、図５の十字マークのように、アイコン画像そのものでも、アイコンに対応する機能を想起させる画像でもないようなものを第２補助画像として用いてもよい。選択表示機能は背景連動機能と独立している。図５は、背景連動が「ＯＮ」の場合には切替後の第１補助画像Ｓｐに第２補助画像Ｓｑが重畳表示される場合と、背景連動が「ＯＦＦ」の場合には当初の画面Ｓｗに第２補助画像Ｓｑが追加表示される場合とを示している。
【００３０】
ショートカット設定部１１は図３に示すようなインタフェースを介しての入力に応じて一以上のアイコン情報を生成するが、そのアイコン情報とは、画面内のアイコンの配置態様を示す態様情報と、画面内のアイコンの配置場所を特定するエリア情報と、その場所に配置するアイコンの機能を特定する機能情報とが互いに関連付けられて成る情報である。すなわち、アイコン情報は、選択および確定されたときに所定の機能を起動するためのショートカット用アイコンに関する情報である。
【００３１】
例えば、ショートカット設定部１１は、図６に示すように、態様情報「２×２」、エリア情報「エリア１」、及び機能情報「カメラ」から成るアイコン情報や、態様情報「２×２」、エリア情報「エリア２」、及び機能情報「ウェブブラウザ」から成るアイコン情報を生成する。ショートカット設定部１１は生成したアイコン情報をデータベース１２に格納する。これによりデータベース１２には、例えば図６に示すような一以上のアイコン情報が記憶される。
【００３２】
なお、アイコン情報の構成は任意に決めてよい。例えば態様情報及びエリア情報を配置位置情報として一つにまとめ、その配置位置情報と機能情報とから成るアイコン情報を用いてもよい。
【００３３】
ショートカット設定部１１は、上記のようなアイコン情報に加え、画面Ｓａで入力されたショートカットの種類を示す種類情報や、画面Ｓｄで入力された背景連動の有無を示す背景連動設定情報、画面Ｓｅで入力された選択表示機能の有無を示す選択表示設定情報もデータベース１２に格納する。
【００３４】
表示制御部１３は、データベース１２から読み出したアイコン情報、種類情報、背景連動設定情報、及び選択表示設定情報に基づいてショートカット用アイコンをショートカット提供画面上に可視状態または不可視状態で配置する手段である。
【００３５】
ユーザの所定の操作を受け付けてショートカット提供画面が表示されると、表示制御部１３はデータベース１２からこれらの情報を読み出す。読み出した種類情報が「通常」を示すものであれば、表示制御部１３は背景連動設定情報及び選択表示設定情報を用いることなく、アイコン情報に基づいてショートカット提供画面にアイコンを可視状態で配置する。例えば図７（ａ）に示すように、表示制御部１３はショートカット提供画面ＳｗにアイコンＣ１〜Ｃ４の画像を表示する。従って、この場合にはユーザは従来のようにアイコンの位置を視認することができる。
【００３６】
一方、読み出した種類情報が「見えないショートカット」である場合には、表示制御部１３はアイコン情報に基づいてショートカット提供画面にアイコンを不可視状態で配置する。更に表示制御部１３は、背景連動設定情報が「ＯＮ」であれば第１補助画像を所定の記憶手段から読み出してショートカット提供画面に表示する。背景連動設定情報が「ＯＦＦ」であれば、表示制御部１３は図７（ｂ）に示すように、当初のショートカット提供画面Ｓｗを維持しつつアイコンＣ１〜Ｃ４を不可視状態で配置する。一方、当該情報が「ＯＮ」であれば、表示制御部１３は図７（ｃ）に示すように、第１補助画像Ｓｐを表示すると共にアイコンＣ１〜Ｃ４を不可視状態で配置する。更に、読み出した選択表示設定情報が「ＯＮ」であれば、表示制御部１３はアイコンが選択されている状況に応じて第２補助画像を所定の記憶手段から読み出し、読み出した第２補助画像をショートカット提供画面に表示する（図５参照）。
【００３７】
アイコンを不可視状態で配置した場合には、以上のような初期処理に加え、表示制御部１３はアイコンを選択するためのカーソルの表示を制御する。この制御方法は任意に決めてよいが、例えば、表示制御部１３は図８（ａ）に示すようにカーソルＣＳを不可視としたり、図８（ｂ）に示すように視認可能なように枠状のカーソルＣＳ´を表示したり、あるいは図８（ｃ）に示すように、選択されたアイコンの配置場所に何らかのエフェクト処理を施したりしてもよい。図８（ｃ）は、選択されているアイコンＣ２の配置場所が淡色表示されていることを示している。
【００３８】
次に、図９を用いて、携帯電話機１０の動作、特にアイコン表示に関する動作を説明するとともに本実施形態に係る画面表示方法（表示制御ステップ）について説明する。
【００３９】
ショートカット提供画面を表示するための入力が操作部１０６を介して行われると、表示制御部１３がデータベース１２からアイコン情報、種類情報、背景連動設定情報、及び選択表示設定情報を読み出す（ステップＳ１１）。このとき、読み出した種類情報が「見えないショートカット」を示していれば（ステップＳ１２；「見えないショートカット」）、表示制御部１３はアイコン情報に基づいて各アイコンを不可視状態で配置する（ステップＳ１３）。更に表示制御部１３は、背景連動設定情報および選択表示設定情報に基づいて、必要に応じて第１，第２補助画像を表示する（ステップＳ１４）。以上に対して、読み出した種類情報が「通常」を示していれば（ステップＳ１２；「通常」）、表示制御部１３はアイコン情報に基づいて各アイコンを可視状態で配置する（ステップＳ１５）。
【００４０】
以上説明したように、本実施形態によれば、ショートカット用アイコンが画面上に不可視状態で配置されるので、そのアイコンは画面に表示されないことになる。これにより、第三者にとってはアイコンの位置や機能などを知ることが難しくなり、その結果、当該アイコンに対応する機能への第三者のアクセスを困難にすることができる。例えば、ユーザは他人に使って欲しくない機能が第三者により起動されてしまうことを防ぐことができる。
【００４１】
アイコンを不可視状態で配置することで、例えば背景画像の一部がアイコン画像に覆われて画面本来のデザインが損なわれることを防ぐこともできる。図７などの例ではわかりづらいが、画面の一定以上の領域において、図１０（ａ）のように４個のアイコンＣ１〜Ｃ４を２×２の態様で配置したり、図１０（ｂ）のように９個のアイコンＣ１〜Ｃ９を３×３の態様で配置したりした場合には、その効果は明らかである。
【００４２】
本実施形態によれば、配置したショートカット用アイコンの位置を示す第１補助画像が表示されるので、ユーザはアイコンが置かれている位置を把握することができる。また、アイコンが選択されるとそのことを示す第２補助画像が表示されるので、ユーザは自身が現在何らかのアイコンを選択していることを知ることができる。このように補助画像を表示することで、非表示アイコンに慣れないユーザの操作を支援することができる。その後ユーザが各アイコンの配置場所を覚えれば、補助画像の助けを得なくても所望のアイコンを選択することができるようになる。
【００４３】
上述したように、第１補助画像は、アイコン画像そのものでも、アイコンに対応する機能を想起させる画像でもなく、あくまでも不可視のアイコンの配置場所の目処を示しているに過ぎない。したがって、第三者はその第１補助画像を見ただけではアイコンに対応する機能を知ることはできない。また、第２補助画像を、アイコン画像そのものでも、アイコンに対応する機能を想起させる画像でもないようなものとすれば、第三者がその第２補助画像からアイコンに対応する機能を予測することは困難になる。したがって、第１，第２補助画像を用いた場合でも、アイコンに対応する機能への第三者のアクセスを困難にすることは可能である。
【００４４】
本実施形態において、アイコンを選択するためのカーソルも非表示にすれば、第三者は自身のアイコン選択操作を把握することも困難になる。その結果、アイコンに対応する機能への第三者のアクセスを困難にすることができる。
【００４５】
以上、本発明をその実施形態に基づいて詳細に説明した。しかし、本発明は上記実施形態に限定されるものではない。本発明は、その要旨を逸脱しない範囲で様々な変形が可能である。
【００４６】
上記実施形態では表示制御部１３が第１，第２補助画像に関する処理を実行したが、表示制御手段はこれらの補助画像のうち一方についてのみ処理を行ってもよいし、双方の補助画像についての処理を省略してもよい。
【００４７】
上記実施形態では携帯電話機に本発明を適用したが、携帯情報端末（ＰＤＡ）や、携帯型又は据置型のパーソナルコンピュータ（ＰＣ）、あるいはその他の情報端末などに本発明を適用してもよい。なお、通信機能の有無は問わない。
【符号の説明】
【００４８】
１０…携帯電話機（表示装置）、１１…ショートカット設定部、１２…データベース（記憶手段）、１３…表示制御部（表示制御手段）Ｓｐ…第１補助画像、Ｓｑ…第２補助画像、Ｓｗ…ショートカット提供画面（所定の画面）。
【図１】
2011191917.tif 000003
【図２】
2011191917.tif 000004
【図３】
2011191917.tif 000005
【図４】
2011191917.tif 000006
【図５】
2011191917.tif 000007
【図６】
2011191917.tif 000008
【図７】
2011191917.tif 000009
【図８】
2011191917.tif 000010
【図９】
2011191917.tif 000011
【図１０】
2011191917.tif 000012